(57)【要約】  本発明は、ゴルフクラブのグリップを一次把持した手においてグリップを握った少なくとも１本の指がグリップに密着するように支持するものであって、ゴルフクラブのグリップに嵌められて互いの間隔が維持される第１リング状部材及び第２リング状部材と、一端に前記第１リング状部材が固定結合され、他端が第２リング状部材に差し込まれて前記一端側に重なるように配置され、前記一端と前記第２リング状部材間に位置する部分、及び前記他端と前記第２リング状部材間に位置する部分の対向する面に、ベルクロ布がそれぞれ形成されているバンド部材とを備えるゴルフクラブのグリップ把持支持具を提供する。
2011505224.tif 000002
【特許請求の範囲】
【請求項１】
ゴルフクラブのグリップを一次把持した手においてグリップを握った少なくとも１本の指がグリップに密着するように支持するものであって、
ゴルフクラブのグリップに嵌められて互いの間隔が維持される第１リング状部材及び第２リング状部材と、
一端に前記第１リング状部材が固定結合され、他端が第２リング状部材に差し込まれて前記一端側に重なるように配置され、前記一端と前記第２リング状部材間に位置する部分、及び前記他端と前記第２リング状部材間に位置する部分の対向する面に、ベルクロ布がそれぞれ形成されているバンド部材とから構成されることを特徴とするゴルフクラブのグリップ把持支持具。
【請求項２】
ゴルフクラブのグリップを一次把持した手においてグリップを握った少なくとも１本の指がグリップに密着するように支持するものであって、
ゴルフクラブのグリップに嵌められて互いの間隔が維持される第１リング状部材及び第２リング状部材と、
一側に第２リング状部材が連結部材によって固定結合され、他側にバンド部材が差し込まれる環部材と、
一端に前記第１リング状部材が固定結合され、他端が前記環部材に差し込まれて前記一端側に重なるように配置され、前記一端と前記環部材間に位置する部分、及び前記他端と前記環部材間に位置する部分の対向する面に、ベルクロ布がそれぞれ形成されているバンド部材とから構成されることを特徴とするゴルフクラブのグリップ把持支持具。
【請求項３】
前記第１リング状部材及び第２リング状部材が、繊維材、金属、天然ガット（Natural gut）、合成ガット（Synthetic gut）から選択されたいずれか１つからなることを特徴とする請求項１又は２に記載のゴルフクラブのグリップ把持支持具。
【請求項４】
前記繊維材が、１本の太い繊維からなるモノフィラメントタイプ、複数の微細繊維からなるマルチフィラメントタイプ、及び繊維材のモノフィラメントからなるコア（core）を繊維材のマルチフィラメントが覆った混合フィラメントタイプから選択されたいずれか１つであることを特徴とする請求項３に記載のゴルフクラブのグリップ把持支持具。
【請求項５】
前記第１リング状部材及び第２リング状部材が、金属材のモノフィラメント、又は金属材のマルチフィラメントからなるコアに、合成樹脂、天然ガット、合成ガット、又は繊維材のマルチフィラメントを被覆して形成されることを特徴とする請求項１又は２に記載のゴルフクラブのグリップ把持支持具。
【請求項６】
前記バンド部材が、天然皮革、合成皮革及び布から選択されたいずれか１つからなることを特徴とする請求項１又は２に記載のゴルフクラブのグリップ把持支持具。
【請求項７】
前記連結部材が、天然皮革、合成皮革及び布から選択されたいずれか１つからなることを特徴とする請求項２に記載のゴルフクラブのグリップ把持支持具。
【請求項８】
前記環部材が、金属と高強度プラスチックのいずれか１つからなることを特徴とする請求項２に記載のゴルフクラブのグリップ把持支持具。
【請求項９】
ゴルフクラブのグリップを一次把持した手においてグリップを握った少なくとも１本の指がグリップに密着するようにするものであって、
ゴルフクラブのグリップに嵌められて互いの間隔が維持される第３リング状部材及び第４リング状部材と、
一端に前記第３リング状部材が一体に射出成形され、他端が第４リング状部材の多段連結環部に差し込まれて前記一端側に重なるように配置され、前記一端と前記第４リング状部材間に位置する上面部分、及び他端と前記第４リング状部材間に位置する下面部分に、対向するベルクロテープがそれぞれ形成されている環一体型バンド部材とから構成されることを特徴とするゴルフクラブのグリップ把持支持具。
【請求項１０】
前記第４リング状部材の上側には、多段連結環部が前記第３リング状部材に向かって傾斜するように形成され、
前記多段連結環部には、前記環一体型バンド部材の他端の高さを調整して差し込むことができるように、複数の差込孔が形成されることを特徴とする請求項９に記載のゴルフクラブのグリップ把持支持具。
【請求項１１】
前記第３リング状部材及び第４リング状部材の間隔が、前記環一体型バンド部材の中間に形成された折り畳み部の長さに応じて調節され、
前記折り畳み部の両側面である環一体型バンド部材の一端と他端が対向する面には、前記ベルクロテープがそれぞれ結合されていることを特徴とする請求項９に記載のゴルフクラブのグリップ把持支持具。
【請求項１２】
前記第３リング状部材及び第４リング状部材のそれぞれの上側には、指が接触する面が広くなるように垂直面が形成され、それぞれの下側には、グリップを支持する面が広くなるように水平面が形成されることを特徴とする請求項９に記載のゴルフクラブのグリップ把持支持具。
【発明の詳細な説明】
【技術分野】
【０００１】
本発明は、ゴルフクラブのグリップを一次把持した手においてグリップを握った少なくとも１本の指がグリップに効果的に密着するように支持することにより、安定感のあるスイングができるようにするゴルフクラブのグリップ把持支持具に関する。
【背景技術】
【０００２】
一般に、ゴルフスイングの準備段階でゴルフクラブのグリップを把持する際に、右利きの場合はまず左手の親指をグリップの長手方向と一直線になるように配置して左手の残りの指でグリップを覆うようにグリップを把持し、その後左手の親指の上に右手の手のひらが重なるようにグリップを握る。
【０００３】
このようにグリップを把持した状態でスイングするが、このときにグリップの滑りなどを恐れるあまりスイング時に手に力が入りすぎてスイングの精度が落ちることがあり、甚だしくはミスショットの原因となることもある。
【０００４】
このような現象は、経験の少ない初級ゴルファーから中級ゴルファーにおいて主に発生する。また、上級ゴルファーにおいても、グリップを把持した手の把持力を適宜調節して柔らかいスイングをしようとするが、グリップの滑りなどの恐れは依然として残っており、しばしばスイング時にグリップを把持した手の把持力が増加しすぎてスイングの精度が落ち、よいショットができずに飛距離が短くなることがある。
【０００５】
よって、ゴルフクラブのグリップを握った手の指がグリップに効果的に密着するように支持することにより、グリップの滑りの恐れを取り除き、スイング時に手に力が入りすぎることを防止して、柔らかいスイングを導くことのできる器具の開発が求められている。
【発明の概要】
【発明が解決しようとする課題】
【０００６】
本発明は、このような事情に鑑みてなされたものであり、ゴルフクラブのグリップを一次把持した手においてグリップを握った少なくとも１本の指がグリップに効果的に密着するように支持することにより、安定感のあるスイングができるように発明されたゴルフクラブのグリップ把持支持具を提供することを目的とする。
【課題を解決するための手段】
【０００７】
上記目的を達成するために、本発明によるゴルフクラブのグリップ把持支持具は、ゴルフクラブのグリップを一次把持した手においてグリップを握った少なくとも１本の指がグリップに密着するように支持するものであって、ゴルフクラブのグリップに嵌められて互いの間隔が維持される第１リング状部材及び第２リング状部材と、一端に前記第１リング状部材が固定結合され、他端が第２リング状部材に差し込まれて前記一端側に重なるように配置され、前記一端と前記第２リング状部材間に位置する部分、及び前記他端と前記第２リング状部材間に位置する部分の対向する面に、ベルクロ布がそれぞれ形成されているバンド部材とから構成されることを特徴とする。
【０００８】
また、上記目的を達成するために、本発明によるゴルフクラブのグリップ把持支持具は、ゴルフクラブのグリップを一次把持した手においてグリップを握った少なくとも１本の指がグリップに密着するように支持するものであって、ゴルフクラブのグリップに嵌められて互いの間隔が維持される第１リング状部材及び第２リング状部材と、一側に第２リング状部材が連結部材によって固定結合され、他側にバンド部材が差し込まれる環部材と、一端に前記第１リング状部材が固定結合され、他端が前記環部材に差し込まれて前記一端側に重なるように配置され、前記一端と前記環部材間に位置する部分、及び前記他端と前記環部材間に位置する部分の対向する面に、ベルクロ布がそれぞれ形成されているバンド部材とから構成されることを特徴とする。
【０００９】
前記第１リング状部材及び第２リング状部材は、繊維材、金属、天然ガット（Natural gut）、合成ガット（Synthetic gut）から選択されたいずれか１つからなることが好ましい。ここで、前記繊維材は、１本の太い繊維からなるモノフィラメントタイプ、複数の微細繊維からなるマルチフィラメントタイプ、及び繊維材のモノフィラメントからなるコア（core）を繊維材のマルチフィラメントが覆った混合フィラメントタイプから選択されたいずれか１つであることが好ましい。
【００１０】
前記第１リング状部材及び第２リング状部材は、金属材のモノフィラメント、又は金属材のマルチフィラメントからなるコアに、合成樹脂、天然ガット、合成ガット、又は繊維材のマルチフィラメントを被覆して形成されたものであってもよい。
【００１１】
前記バンド部材と前記連結部材は、天然皮革、合成皮革及び布から選択されたいずれか１つからなることが好ましく、前記環部材は、金属と高強度プラスチックのいずれか１つからなることが好ましい。
【００１２】
また、本発明の目的を達成するための本発明の他の実施形態は、ゴルフクラブのグリップを一次把持した手においてグリップを握った少なくとも１本の指がグリップに密着するようにするものであって、ゴルフクラブのグリップに嵌められて互いの間隔が維持される第３リング状部材及び第４リング状部材と、一端に前記第３リング状部材が一体に射出成形され、他端が第４リング状部材の多段連結環部に差し込まれて前記一端側に重なるように配置され、前記一端と前記第４リング状部材間に位置する上面部分、及び他端と前記第４リング状部材間に位置する下面部分に、対向するベルクロテープがそれぞれ形成されている環一体型バンド部材とから構成されることを特徴とする。
【００１３】
前記第４リング状部材の上側には、多段連結環部が前記第３リング状部材に向かって傾斜するように形成され、前記多段連結環部には、前記環一体型バンド部材の他端の高さを調整して差し込むことができるように、複数の差込孔が形成されることを特徴とする。
【００１４】
前記第３リング状部材及び第４リング状部材の間隔は、前記環一体型バンド部材の中間に形成された折り畳み部の長さに応じて調節され、前記折り畳み部の両側面である環一体型バンド部材の一端と他端が対向する面には、前記ベルクロテープがそれぞれ結合されていることを特徴とする。
【００１５】
前記第３リング状部材及び第４リング状部材のそれぞれの上側には、指が接触する面が広くなるように垂直面が形成され、それぞれの下側には、グリップを支持する面が広くなるように水平面が形成されることを特徴とする。
【発明の効果】
【００１６】
このように構成された本発明によれば、ゴルフクラブのグリップを一次把持した手においてグリップを握った少なくとも１本の指がグリップに効果的に密着するように支持することにより、グリップの滑りを恐れるあまりスイング時に手に力が入りすぎることを防止することができるので、スイングの精度を向上させると共に飛距離を向上させることができる。よって、正確かつパワフルなショットができる。
【図面の簡単な説明】
【００１７】
【図１】本発明の第１実施形態によるゴルフクラブのグリップ把持支持具の結合斜視図である。
【図２】本発明の第１実施形態によるゴルフクラブのグリップ把持支持具の分解斜視図である。
【図３】本発明の第１実施形態によるゴルフクラブのグリップ把持支持具の使用状態図である。
【図４】本発明の第２実施形態によるゴルフクラブのグリップ把持支持具の結合斜視図である。
【図５】本発明の第２実施形態によるゴルフクラブのグリップ把持支持具の分解斜視図である。
【図６】本発明の第２実施形態によるゴルフクラブのグリップ把持支持具の使用状態図である。
【図７】本発明の第３実施形態によるゴルフクラブのグリップ把持支持具を示す斜視図である。
【図８】図７のＡから見た側面図である。
【図９】本発明の第３実施形態によるゴルフクラブのグリップ把持支持具を使用してグリップを把持した状態を示す使用状態図である。
【発明を実施するための形態】
【００１８】
以下、添付図面を参照して本発明の好ましい実施形態によるゴルフクラブのグリップ把持支持具について詳細に説明する。
【００１９】
本発明は、ゴルフクラブのグリップを一次把持した手の中指、薬指及び小指がバックスイング、ダウンスイング、及びインパクト時に中心軸となるので、これらの指の少なくとも１本を（好ましくは、中指、薬指及び小指の３本の指を束ねて）密着支持すれば、強固かつ安定した中心軸を提供することができるという点に着目した。
【００２０】
図１は本発明の第１実施形態によるゴルフクラブのグリップ把持支持具の結合斜視図であり、図２は本発明の第１実施形態によるゴルフクラブのグリップ把持支持具の分解斜視図であり、図３は本発明の第１実施形態によるゴルフクラブのグリップ把持支持具のリング状部材をゴルフクラブのグリップに嵌め、中指、薬指及び小指をグリップとバンド部材の間に差し込んでグリップを把持した状態を示す使用状態図である。
【００２１】
前記図面に示すように、本発明によるゴルフクラブのグリップ把持支持具は、ゴルフクラブのグリップを一次把持した手（例えば、右利きの場合は左手、左利きの場合は右手）においてグリップを握った少なくとも１本の指（図３では３本の指、すなわち中指、薬指及び小指）がグリップに密着支持するように構成されたものである。
【００２２】
ここで、本明細書及び図面においては、３本の指（すなわち、中指、薬指及び小指）がグリップに密着するようにバンド部材１３が支持するが、本発明は、２本の指（すなわち、中指と薬指、もしくは薬指と小指）がグリップに密着するようにバンド部材が支持するか、又は１本の指（すなわち、中指、薬指もしくは小指）がグリップに密着するようにバンド部材が支持するように構成されてもよい。このような構成は、図面よりもバンド部材の長さを適宜短くしたり、バンド部材の固定されていない一端をさらに引っ張って締め付ければ可能であるということは容易に理解されるであろう。以下の説明では、説明の簡略化のために、３本の指（すなわち、中指、薬指及び小指）がグリップに密着するようにバンド部材が支持する場合に限って説明する。
【００２３】
本発明の第１実施形態によるグリップ把持支持具１０は、ゴルフクラブのグリップを一次把持した手においてグリップを握った少なくとも１本の指がグリップに密着するように支持するものであり、その構成は、ゴルフクラブのグリップ２０に嵌められて互いの間隔が維持される第１リング状部材１１及び第２リング状部材１２と、一端に第１リング状部材１１が固定結合され、他端が第２リング状部材１２に差し込まれて前記一端側に重なるように配置され、前記一端と第２リング状部材１２間に位置する部分、及び他端と第２リング状部材１２間に位置する部分の対向する面にベルクロ布１３Ｂ、１３Ａがそれぞれ形成されているバンド部材１３とから構成される。
【００２４】
ここで、バンド部材１３は、天然皮革、合成皮革又は布からなる。
【００２５】
バンド部材１３において、第１リング状部材１１側の端部は、折り畳まれて第１リング状部材１１を差し込むことのできる空間（すなわち、穴）を維持するように縫製されるか、接着剤で接着され、バンド部材１３から第１リング状部材１１が離脱しないようになっている。
【００２６】
また、第２リング状部材１２は、第２リング状部材１２に固定されておらず、第２リング状部材１２にバンド部材１３が差し込まれてバンド部材１３の一端と他端の間で移動可能になっている。
【００２７】
リング状部材１１、１２は、グリップ２０に容易に嵌めたり離脱させたりできる程度に、グリップ２０の直径より大きい直径を有するように構成されることが好ましい。
【００２８】
また、リング状部材１１、１２は、直線状のひもを図２に示すように結合部材１１Ａ、１２Ａによって結合してリング状にしたものであってもよく、リング状に成形されたものであってもよい。
【００２９】
また、前記第１リング状部材１１及び第２リング状部材１２は、繊維材、金属、天然ガット（Natural gut）、合成ガット（Synthetic gut）からなる。ここで、繊維材は、１本の太い繊維からなるモノフィラメントタイプ、無数に多くの複数の微細繊維からなるマルチフィラメントタイプ、又は繊維材のモノフィラメントからなるコア（core）に繊維材のマルチフィラメントを覆った混合フィラメントタイプでもよい。
【００３０】
又は、リング状部材１１、１２は、金属材のモノフィラメント、もしくは金属材のマルチフィラメントからなるコアに、合成樹脂、天然ガット、合成ガット、もしくは繊維材のマルチフィラメントを被覆して形成してもよい。
【００３１】
前記のように構成された本発明の第１実施形態によるグリップ把持支持具１０のリング状部材１１、１２をグリップ２０に嵌め、グリップ２０を一次把持した手（右利きの場合は左手、左利きの場合は右手）の中指、薬指及び小指をグリップ２０とバンド部材１３の間に差し込んでグリップ２０を把持し、バンド部材１３の固定されていない端部を引っ張ってバンド部材１３のベルクロ布１３Ａ、１３Ｂを互いに接着させると、中指、薬指及び小指がバンド部材１３によって圧迫支持される。このようにすると、グリップ２０を握った中指、薬指及び小指がグリップに効果的に密着支持される。従って、グリップの滑りを恐れるあまりスイング時に手に力が入りすぎることを防止することができるので、スイングの精度を向上させることができ、よいショットができる。また、飛距離も向上する。
【００３２】
図４は本発明の第２実施形態によるゴルフクラブのグリップ把持支持具の結合斜視図であり、図５は本発明の第２実施形態によるゴルフクラブのグリップ把持支持具の分解斜視図であり、図６は本発明の第２実施形態によるゴルフクラブのグリップ把持支持具のリング状部材をゴルフクラブのグリップに嵌め、中指、薬指及び小指をグリップとバンド部材の間に差し込んでグリップを把持した状態を示す使用状態図である。
【００３３】
本発明の第２実施形態によるグリップ把持支持具１０Ａは、ゴルフクラブのグリップを一次把持した手においてグリップを握った少なくとも１本の指がグリップに密着するようにするものであり、その構成は、ゴルフクラブのグリップ２０に嵌められて互いの間隔が維持される第１リング状部材１１及び第２リング状部材１２と、一側に第２リング状部材１２が連結部材１４によって固定結合され、他側にバンド部材１３が移動可能に差し込まれる環部材１５と、一端に第１リング状部材１１が固定結合され、他端が環部材１５に差し込まれて前記一端側に重なるように配置され、前記一端と環部材１５間に位置する部分、及び前記他端と前記環部材１５間に位置する部分の対向する面に、ベルクロ布１３Ｂ、１３Ａがそれぞれ形成されているバンド部材１３とから構成される。
【００３４】
ここで、バンド部材１３と連結部材１４は、天然皮革、合成皮革又は布からなる。
【００３５】
バンド部材１３において、第１リング状部材１１側の端部は、折り畳まれて第１リング状部材１１を差し込むことのできる空間（すなわち、穴）を維持するように縫製されるか、接着剤で接着され、バンド部材１３から第１リング状部材１１が離脱しないようになっている。また、連結部材１４は、第２リング状部材１２と環部材１５を差し込むことのできる空間（すなわち、穴）を維持するように縫製されるか、接着剤で接着され、第２リング状部材１２と環部材１５が連結されている。
【００３６】
リング状部材１１、１２は、グリップ２０に容易に嵌めたり離脱させたりできる程度に、グリップ２０の直径より大きい直径を有するように構成されることが好ましい。また、リング状部材１１、１２は、直線状のひもを図５に示すように結合部材１１Ａ、１２Ａによって結合してリング状にしたものであってもよく、リング状に成形されたものであってもよい。
【００３７】
リング状部材１１、１２は前記第１実施形態と同じ材質からなり、環部材１５は金属又は高強度プラスチックからなる。
【００３８】
前記のように構成された本発明の第２実施形態によるグリップ把持支持具１０Ａのリング状部材１１、１２をグリップ２０に嵌め、グリップ２０を一次把持した手（右利きの場合は左手、左利きの場合は右手）の中指、薬指及び小指をグリップ２０とバンド部材１３の間に差し込んでグリップ２０を把持し、バンド部材１３の固定されていない端部を引っ張ってバンド部材１３のベルクロ布１３Ａ、１３Ｂを互いに接着させると、中指、薬指及び小指がバンド部材１３によって圧迫支持される。このようにすると、グリップ２０を握った中指、薬指及び小指がグリップに効果的に密着支持される。従って、グリップの滑りを恐れるあまりスイング時に手に力が入りすぎることを防止することができるので、スイングの精度を向上させることができ、よいショットができる。また、飛距離も向上する。
【００３９】
図７は本発明の第３実施形態によるゴルフクラブのグリップ把持支持具を示す斜視図であり、図８は図７のＡから見た側面図であり、図９は本発明の第３実施形態によるゴルフクラブのグリップ把持支持具を使用してグリップを把持した状態を示す使用状態図である。
【００４０】
図７〜図９に示すように、本発明の第３実施形態によるグリップ把持支持具３０は、ゴルフクラブのグリップを一次把持した手においてグリップを握った少なくとも１本の指がグリップに密着するようにするものである。
【００４１】
グリップ把持支持具３０は、ゴルフクラブのグリップ２０に嵌められて互いの間隔が維持される第３リング状部材３１及び第４リング状部材３２と、一端に第３リング状部材３１が一体に射出成形され、他端が第４リング状部材３２の多段連結環部３２Ａに差し込まれて前記一端側に重なるように配置され、前記一端と第４リング状部材３２間に位置する上面部分、及び他端と第４リング状部材３２間に位置する下面部分に対向するベルクロテープ３３Ａ、３３Ｂがそれぞれ形成されている環一体型バンド部材３３とから構成される。
【００４２】
ここで、第４リング状部材３２の上側には、多段連結環部３２Ａが第３リング状部材３１に向かって傾斜するように形成されている。また、多段連結環部３２Ａには、環一体型バンド部材３３の他端の高さを調節して差し込むことができるように、複数の差込孔３２Ｂが形成されている。
【００４３】
このように、第４リング状部材３２の上側に形成された多段連結環部３２Ａは、複数の差込孔３２Ｂを形成して構成されており、ゴルファーの手の大きさによって差込孔３２Ｂを選択し、これに一体型バンド部材３３の他端を差し込んで調節することにより、手の大きさにかかわらず誰もがグリップ感を向上させることができる。
【００４４】
前記第３リング状部材３１と第４リング状部材３２の間隔は、環一体型バンド部材３３の中間に形成された折り畳み部３３Ｃの長さによって調節される。また、折り畳み部３３Ｃの両側面である環一体型バンド部材３３の一端と他端が対向する面には、前記ベルクロテープ３３Ａ、３３Ｂがそれぞれ結合される。
【００４５】
前記第３リング状部材３１及び第４リング状部材３２のそれぞれの上側には、指が接触する面が広くなるように垂直面３１ａ、３２ａが形成され、それぞれの下側には、グリップを支持する面が広くなるように水平面３１ｂ、３２ｂが形成される。
【００４６】
前記第３リング状部材３１及び第４リング状部材３２は、グリップ２０に容易に嵌めたり離脱させたりできる程度に、グリップ２０の直径より大きい直径を有するように構成されることが好ましい。
【００４７】
第３リング状部材３１は、一体型バンド部材３３の一端から他端側に寄った位置に一体形成され、一体型バンド部材３３の一端突設部上面までベルクロテープ３３Ａが貼り付けられている。
【００４８】
前記のように構成された本発明の第３実施形態によるグリップ把持支持具３０のリング状部材３１、３２をグリップ２０に嵌め、グリップ２０を一次把持した手（右利きの場合は左手、左利きの場合は右手）の中指、薬指及び小指をグリップ２０と環一体型バンド部材３３の間に差し込んでグリップ２０を把持し、環一体型バンド部材３３の固定されていない端部を引っ張って環一体型バンド部材３３のベルクロテープ３３Ａ、３３Ｂを互いに接着させると、中指、薬指及び小指が環一体型バンド部材３３によって圧迫支持される。このようにすると、グリップ２０を握った中指、薬指及び小指がグリップに効果的に密着支持される。従って、グリップの滑りを恐れるあまりスイング時に手に力が入りすぎることを防止することができるので、スイングの精度を向上させることができ、よいショットができる。また、飛距離も向上する。
【００４９】
なお、本発明は、前述したような特定の実施形態に限定されるものではなく、本発明の要旨を逸脱しない範囲内で様々な変形及び修正を施して実施することができる。このような変更及び変形が添付の請求の範囲に含まれるものであれば、本発明に属するものであることは自明なことである。
【産業上の利用可能性】
【００５０】
このように構成された本発明によれば、ゴルフクラブのグリップを一次把持した手においてグリップを握った少なくとも１本の指がグリップに効果的に密着するように支持することにより、グリップの滑りを恐れるあまりスイング時に手に力が入りすぎることを防止することができるので、スイングの精度を向上させると共に飛距離を向上させることができる。よって、正確かつパワフルなショットができる。
【符号の説明】
【００５１】
１０，１０Ａ，３０      グリップ把持支持具
１１，１２              第１リング状部材及び第２リング状部材
１３                    バンド部材
１３Ａ，１３Ｂ          ベルクロ布
１４                    連結部材
１５                    環部材
３１，３２              第３リング状部材及び第４リング状部材
３２Ａ                  多段連結環部
３２Ｂ                  複数の差込孔
３３                    環一体型バンド部材
３３Ａ，３３Ｂ          ベルクロテープ
３３Ｃ                  折り畳み部
【図１】
2011505224.tif 000003
【図２】
2011505224.tif 000004
【図３】
2011505224.tif 000005
【図４】
2011505224.tif 000006
【図５】
2011505224.tif 000007
【図６】
2011505224.tif 000008
【図７】
2011505224.tif 000009
【図８】
2011505224.tif 000010
【図９】
2011505224.tif 000011
【国際調査報告】
2011505224.tif 000012
2011505224.tif 000013
2011505224.tif 000014
2011505224.tif 000015